(57)【要約】【課題】テラスの広さを確保することができるとともに、居室内のプライバシーを確保することができる。【解決手段】第１外周壁４１には、ＬＤＫ（居室）２７１と屋外空間５２とを連通させる第１出入口４１１が設けられ、第２外周壁４２には、玄関２１と屋外空間５２とを連通させる第２出入口４２１が設けられ、第２出入口４２１は、第２外周壁４２における第１出入口４１１の出入り方向の第１出入口４１１と離間する位置に設けられ、屋外空間５２には、住宅１Ａの外部との第３出入口５２４が設けられ、第３出入口５２４は、屋外空間５２における第１出入口４１１の出入り方向の第１出入口４１１と離間する位置に設けられている。【選択図】図１
2019178562.tif 000002
【特許請求の範囲】
【請求項１】
互いに交差し屋外に入隅を形成する第１外周壁および第２外周壁と、
前記第１外周壁に沿って屋内に設けられた居室と、
前記第２外周壁に沿って屋内に設けられた玄関と、
前記第１外周壁および前記第２外周壁に沿って前記入隅に設けられた屋外空間と、を有する住宅において、
前記第１外周壁には、前記居室と前記屋外空間とを連通させる第１出入口が設けられ、
前記第２外周壁には、前記玄関と前記屋外空間とを連通させる第２出入口が設けられ、
前記第２出入口は、前記第２外周壁における前記第１出入口の出入り方向の前記第１出入口と離間する位置に設けられ、
前記屋外空間には、前記住宅の外部との第３出入口が設けられ、
前記第３出入口は、前記屋外空間における前記第１出入口の出入り方向の前記第１出入口と離間する位置に設けられていることを特徴とする住宅。
【請求項２】
前記第３出入口は、出入り方向が前記第１出入口の出入り方向と重ならない位置に設けられていることを特徴とする請求項１に記載の住宅。
【請求項３】
前記屋外空間の上方には、軒天井が設けられていることを特徴とする請求項１または２に記載の住宅。
【請求項４】
前記軒天井は、前記屋外空間の上方全体に設けられていることを特徴とする請求項３に記載の住宅。
【請求項５】
屋内には、前記玄関と連続する玄関収納室が設けられ、
前記屋外空間、前記第２出入口、前記玄関および前記玄関収納室は、一直線上に連続して設けられていることを特徴とする請求項１乃至４のいずれか一項に記載の住宅。
【請求項６】
前記第３出入口の側方には、前記屋外空間の縁部に沿った壁部が設けられ、
前記壁部は、前記屋外空間の外部からの視認性を低下させるように構成されていることを特徴とする請求項１乃至５のいずれか一項に記載の住宅。
【請求項７】
前記屋外空間の上方には、軒天井が設けられ、
前記壁部の高さは、前記軒天井の高さよりも低いことを特徴とする請求項６に記載の住宅。
【発明の詳細な説明】
【技術分野】
【０００１】
本発明は、住宅に関する。
【背景技術】
【０００２】
従来、１階に設けられたリビングなどの居室の屋外側に、この居室から出入り可能で居室と一体に使用可能なテラスなどの屋外空間を設け、テラスを居室と一体に利用することができる住宅が知られている（例えば、特許文献１および２参照）。
【先行技術文献】
【特許文献】
【０００３】
【特許文献１】特開２００２−１８０６７７号公報
【特許文献２】特開２０１５−１０１８４５号公報
【発明の概要】
【発明が解決しようとする課題】
【０００４】
しかしながら、住宅が限られた敷地内に建てられる場合、十分な広さのテラスを設けるためのスペースの確保が困難である。また、外部からテラスを介して居室の内部を見通せてしまうため、居室内のプライバシーの確保が困難となることがある。
【０００５】
そこで、本発明は、テラスの広さを確保することができるとともに、居室内のプライバシーを確保することができる住宅を提供することを目的とする。
【課題を解決するための手段】
【０００６】
上記目的を達成するため、本発明に係る住宅は、互いに交差し屋外に入隅を形成する第１外周壁および第２外周壁と、前記第１外周壁に沿って屋内に設けられた居室と、前記第２外周壁に沿って屋内に設けられた玄関と、前記第１外周壁および前記第２外周壁に沿って前記入隅に設けられた屋外空間と、を有する住宅において、前記第１外周壁には、前記居室と前記屋外空間とを連通させる第１出入口が設けられ、前記第２外周壁には、前記玄関と前記屋外空間とを連通させる第２出入口が設けられ、前記第２出入口は、前記第１出入口と離間する位置に設けられ、前記屋外空間、前記住宅の外部との第３出入口が設けられ、前記第３出入口は、前記第１出入口と離間する位置に設けられていることを特徴とする。
【０００７】
本発明では、屋外空間は、居室と連続するテラスとして使用することができるとともに、外部から玄関へ通じる玄関ポーチとして使用することができる。このように、本発明では、玄関ポーチとテラスとが一体となっているため、玄関ポーチとテラスとを個々に設ける場合と比べて、屋外空間を一つの広い空間とすることができる。その結果、居室と連続するテラスとして、玄関ポーチとなるスペースも使用することができ、テラスの広さを確保することができる。
また、本発明では、玄関の出入口となる第２出入口、および屋外空間と住宅の外部との出入口となる第３出入口が、居室の出入口となる第１出入口と離間する位置に設けられている。これにより、住宅の外部から玄関へ向かう人や、玄関から外部へ向かう人、第３出入口の近傍にいる人が居室の内部を容易に見通せないため、居室内のプライバシーを確保することができる。
【０００８】
また、本発明に係る住宅では、前記第３出入口は、出入り方向が前記第１出入口の出入り方向と重ならない位置に設けられていてもよい。
このような構成とすることにより、第３出入口の近傍にいる人が居室の内部を容易に見通せないため、居室内のプライバシーを確保することができる。
【０００９】
また、本発明に係る住宅では、前記屋外空間の上方には軒天井が設けられていてもよい。
このような構成とすることにより、雨天でも雨に濡れずに屋外空間を使用することができ、テラスとしての用途を多様化することができる。
【００１０】
また、本発明に係る住宅では、前記軒天井は、前記屋外空間の上方全体に設けられていてもよい。
このような構成とすることにより、雨天でも雨に濡れず屋外空間の全体を使用することができる。
【００１１】
また、本発明に係る住宅では、屋内には、前記玄関と連続する玄関収納室が設けられ、前記屋外空間、前記第２出入口、前記玄関および前記玄関収納室は、一直線上に連続して設けられていてもよい。
このような構成とすることにより、屋外空間から玄関を介して玄関収納室へアクセスしやすく、使い勝手が良い。玄関収納室を、屋外空間で使用する物の収納に使用することができる。
【００１２】
また、本発明に係る住宅では、前記第３出入口の側方には、前記屋外空間の縁部に沿った壁部が設けられ、前記壁部は、前記屋外空間の外部からの視認性を低下させるように構成されていてもよい。
このような構成とすることにより、外部から屋外空間および居室の内部を容易に見通せないため、屋外空間および居室内のプライバシーを確保することができる。
【００１３】
また、本発明に係る住宅では、前記屋外空間の上方には軒天井が設けられ、前記壁部の高さは、前記軒天井の高さよりも低くてもよい。
このような構成とすることにより、壁部と軒天井との間が開放されるため、屋外空間にいる人が開放感を得られるとともに、壁部と軒天井との間のスペースを風通しや採光に利用することができる。
【発明の効果】
【００１４】
本発明によれば、テラスの広さを確保することができるとともに、居室内のプライバシーを確保することができる。
【図面の簡単な説明】
【００１５】
【図１】本発明の第１実施形態による住宅の１階平面図兼配置図である。
【図２】本発明の第１実施形態による住宅の２階平面図である。
【図３】本発明の第１実施形態による屋外空間を南東から見た斜視図である。
【図４】本発明の第１実施形態による住宅の南側立面図である。
【図５】本発明の第１実施形態による住宅の東側立面図である。
【図６】本発明の第２実施形態による住宅の１階平面図兼配置図である。
【図７】本発明の第２実施形態による住宅の２階平面図である。
【図８】本発明の第２実施形態による住宅の南側立面図である。
【発明を実施するための形態】
【００１６】
（第１実施形態）
以下、本発明の第１実施形態による住宅について、図１乃至図５に基づいて説明する。
図１に示すように、第１実施形態による住宅１Ａは、２階建ての戸建住宅であって、南側に道路１１がある敷地１２に建てられている。敷地１２は、東西方向よりも南北方向に長い長方形となっている。
住宅１Ａは、間口寸法（東西方向の寸法）よりも奥行き寸法（南北方向の寸法）が長い形状で、敷地１２の南側をあけるように北側に寄せて建てられている。
【００１７】
敷地１２における住宅１Ａの南側には、西側から東側に向かって、２台分の駐車場１３、道路１１から住宅１Ａへのアプローチスペース１４、および自転車置き場１５が設けられている。２台分の駐車場１３は、２台の自動車をその前後方向が南北方向となる向きで、東西方向に並んで駐車するように設計されている。
住宅１Ａは、１階２の間口寸法が２階３（図２参照）の間口寸法と同じ長さで、１階２の奥行き寸法が２階３の奥行き寸法と同じ長さとなるいわゆる総２階建てに設計されている。
本実施形態では、住宅１Ａの間口寸法が４間（１８３０ｍｍ×４）に設計されている。
【００１８】
住宅１Ａの１階２の南東には、屋内と屋外とを仕切る外周壁４が北側および西側に凹んだ入隅５１（以下、１階入隅５１とする）が形成されている。１階入隅５１の間口寸法は、１階２の間口寸法の１／２の寸法（本実施形態では２間）に設計されている。１階入隅５１の奥行き寸法は、１階入隅５１の間口寸法と同じ寸法に設計されている。
１階入隅５１の屋外には、住宅１Ａの屋外から往来可能な屋外空間５２が設けられている。屋外空間５２の平面形状は、１階入隅５１に沿った正方形となっている。
【００１９】
図２に示すように、住宅１Ａの２階３の南東には、屋内と屋外とを仕切る外周壁４が北側および西側に凹んだ入隅５３（以下、２階入隅５３とする）が形成されている。２階入隅５３の間口寸法は、２階３の間口寸法の１／４の寸法（本実施形態では１間）に設計されている。２階入隅５３の奥行き寸法は、２階入隅５３の間口寸法と同じ寸法に設計されている。２階入隅５３の間口寸法および奥行き寸法は、１階入隅５１（図１参照）の間口寸法および奥行き寸法の１／２の寸法に設定されている。
図３−図５に示すように、２階入隅５３は、１階入隅５１よりも平面形状が小さく、屋外空間５２の南東部分の上方に配置されている。屋外空間５２の上方には、１階２の外周壁４よりも屋外側に突出した２階部分が配置されている。この屋外空間５２の上方において１階２の外周壁４よりも屋外側に突出した２階部分を突出部３９とする。
屋外空間５２における上方に２階３の突出部３９および後述する庇６が配置された領域には、軒天井５４が設けられている。本実施形態では、軒天井５４は、屋外空間５２の南東の角部近傍を除いたほとんどの領域の上方に設けられている。
【００２０】
図１に示すように、住宅１Ａの１階２には、玄関２１、１階ホール２２、玄関収納室２３、階段室２４、トイレ２５、洗面所２６、リビング２７、ダイニング２８、キッチン２９、および屋外空間５２が設けられている。
リビング２７、ダイニング２８およびキッチン２９は、いわゆるひとつのスペースとなるＬＤＫで、１つの空間となっている。以下では、リビング２７、ダイニング２８およびキッチン２９を併せてＬＤＫ２７１と示す。
本実施形態の住宅１Ａは、玄関２１が１つのみ設けられていて、単世帯、もしくは玄関２１を共用する２世帯や３世帯のための住宅として想定されている。
【００２１】
１階２の西側半分には、南側から北側に向かって順に、リビング２７、キッチン２９、ダイニング２８が配置されている。屋外空間５２の西側には、リビング２７およびキッチン２９の南側の領域２９１が配置されている。
１階２の東側半分には、南側に屋外空間５２が配置され、屋外空間５２の北側には、東側に南側から北側に向かって順に、玄関２１、玄関２１収納が配置され、西側に南側から北側に向かって順にトイレ２５、洗面所２６、１階ホール２２、階段室２４が配置されている。トイレ２５、洗面所２６および１階ホール２２は、玄関２１の西側に配置され、階段室２４は、玄関収納室２３の西側に配置されている。
【００２２】
１階ホール２２の東側には、玄関２１が配置され、１階ホール２２の西側には、ＬＤＫ２７１が配置されている。１階ホール２２は、玄関２１、階段室２４、洗面所２６およびＬＤＫ２７１にアクセスできるように設計されている。
玄関２１および玄関収納室２３の床の高さは、１階ホール２２の床の高さよりも低く設計されている。洗面所２６、トイレ２５およびＬＤＫ２７１の床の高さは、１階ホール２２の床の高さと同じ高さに設計されている。
洗面所２６は、洗面台が設置されていて、壁部および建具によって完全に仕切られていないスペースとなっている。トイレ２５は、洗面所２６から使用するように設計されている。
【００２３】
１階の外周壁４のうち、屋外空間５２の西側で南北方向に延びる部分を第１外周壁４１とし、屋外空間５２の北側で第１外周壁４１の北側の端部から東西方向に延びる部分を第２外周壁４２とし、第１外周壁４１の南側の端部から西側に延びる部分を第３外周壁４３、第２外周壁４２の東側の端部から北側に延びる部分を第４外周壁４４とする。
第３外周壁４３は、外周壁４のうち一番南側に位置し、第３外周壁４３の南側に駐車場１３が配置されている。第４外周壁４４は、外周壁４のうち一番東側に位置し、東側の敷地１２の境界線と近接している。屋外空間５２の南側の縁部は、第３外周壁４３と同一直線状に配置され、屋外空間５２の東側の縁部は、第４外周壁４４と同一直線状に配置されている。
【００２４】
図１、図３−図５に示すように、第１外周壁４１は、ＬＤＫ２７１の東側に配置されている。第１外周壁４１には、北側寄り（第２外周壁４２と近接する側）にＬＤＫ２７１と屋外空間５２とを連通させる第１出入口４１１が設けられている。第１外周壁４１における第１出入口４１１よりも南側の部分は、開口部のない壁部となっている。
第１出入口４１１には、引き違い戸の掃き出し窓４１２が設けられている。第１出入口４１１は、掃き出し窓４１２を開放することで居住者がＬＤＫ２７１と屋外空間５２とを往来できるように設計されている。屋外空間５２は、居住者がＬＤＫ２７１からテラスとして利用できるように設計されている。
【００２５】
掃き出し窓４１２は、ガラス戸で、リビング２７およびキッチン２９の南側の領域２９１と対向するように配置されている。このため、居住者がリビング２７およびキッチン２９の南側の領域２９１から第１出入口４１１を介して屋外空間５２を見通せるように設計されている。また、屋外空間５２にいる居住者が、第１出入口４１１を介してリビング２７およびキッチン２９を見通せるように設計されている。
なお、キッチン２９で作業する居住者が第１出入口４１１を介して屋外空間５２を見通しやすいように、キッチン２９のレイアウトを設計してもよい。例えば、キッチン２９台や作業台を東側や南側を向くように設置したり、第１出入口４１１と近接するように設置したりして、第１出入口４１１から屋外空間５２を見通しやすいようにしてもよい。
【００２６】
第２外周壁４２は、玄関２１およびトイレ２５の南側に配置されている。第２外周壁４２には、東側寄り（第１外周壁４１と離間する側）に玄関２１と屋外空間５２とを連通させる第２出入口４２１が設けられている。
第２出入口４２１には、玄関戸４２２が設けられている。第２出入口４２１は、玄関戸４２２を開放することで居住者が玄関２１と屋外空間５２とを往来できるように設計されている。屋外空間５２は、居住者が玄関ポーチとして利用できるように設計されている。
【００２７】
玄関戸４２２は、屋外空間５２側に開く親子ドアで、親ドアが東側、子ドアが西側に配置されている。
本実施形態では、トイレ２５には窓が設けられておらず、第２外周壁４２における第２出入口４２１よりも西側の部分は、開口部のない壁部となっている。
【００２８】
第３外周壁４３は、リビング２７の南側に配置されている。第３外周壁４３には、東側寄りにリビング２７の床よりも高い位置にリビング高窓４３１が設けられている。リビング高窓４３１は、引き違いのガラス戸で、南側からの採光を確保しつつ、外部からＬＤＫ２７１の内部を視認できないよう設計されている。
本実施形態では、第３外周壁４３の南側に駐車場１３が設けられており、リビング高窓４３１を介して駐車場１３からＬＤＫ２７１の内部を容易に視認できないように設計されている。リビング高窓４３１は、例えば、駐車場１３よりも１５００ｍｍ高い位置に設けられている。
【００２９】
また、本実施形態では、リビング高窓４３１の上方には、第３外周壁４３よりも南側に突出する庇６が設けられている。リビング高窓４３１の大きさや位置は、ＬＤＫ２７１に所望の採光を確保できるように庇６の形状も考慮して設計されている。
第３外周壁４３におけるリビング高窓４３１よりも西側の部分は、開口部のない壁部となっている。
第３外周壁４３は、屋外空間５２の南側の縁部と南北方向の位置がほぼ同じ位置に配置され、屋外空間５２の南側の縁部の西側に配置されている。
【００３０】
第４外周壁４４は、玄関２１および玄関収納室２３の東側に配置されている。第４外周壁４４には、東西方向の中間部で玄関２１に面する位置に玄関窓４４１が設けられている。
第４外周壁４４における玄関窓４４１よりも南側の部分および東側の部分は、開口部のない壁部となっている。
【００３１】
屋外空間５２の床部５２１は、ウッドデッキや、コンクリートなどで構築されている。屋外空間５２の床部５２１は、第１外周壁４１および第２外周壁４２それぞれの下側の基礎に隣接して設けられている。屋外空間５２の床面は、玄関２１の床面とほぼ同じ高さで、ＬＤＫ２７１の床面よりも１００〜２００ｍｍ程度低い位置に配置されている。なお、玄関２１や屋外空間５２の床面には、水勾配が適宜設けられている。
屋外空間５２の床面は、敷地１２よりも５００〜６００ｍｍ程度高い位置に配置されている。
【００３２】
屋外空間５２の南側には、屋外空間５２と敷地１２とを上り下りするための第１階段５２３が設けられている。第１階段５２３は、屋外空間５２の南側の縁部における東側の端部近傍に設けられている。第１階段５２３の南側には、アプローチスペース１４が配置されている。第１階段５２３を昇降することで、屋外空間５２とアプローチスペース１４とを往来できるように設計されている。屋外空間５２における第１階段５２３と面する部分を第３出入口５２４とする。
屋外空間５２の東側には、屋外空間５２と敷地１２とを上り下りするための第２階段５２５が設けられている。第２階段５２５は、屋外空間５２の東側の縁部における北側の端部近傍に配置されている。
【００３３】
屋外空間５２の南側には、屋外空間５２の南側の縁部に沿ってテラス壁部（壁部）５２７が設けられている。テラス壁部５２７は、第３出入口５２４の西側に設けられ、屋外空間５２と当接または近接している。
テラス壁部５２７は、屋外空間５２の床面よりも高く、軒天井５４よりも低い高さに設計されている。テラス壁部５２７の上端は、例えば屋外空間５２の床面よりも１０００ｍｍほど高い位置となるように設計されている。テラス壁部５２７には、スリットなどが形成されていてもよい。
本実施形態では、テラス壁部５２７の東側の端部５２７ａの近傍には、インターホンや郵便受け（不図示）を設置できるように設計されている。これらのインターホンや郵便受けは、訪問者や運送業者がテラス壁部５２７の南側から使用するように設計されている。これにより、テラス壁部５２７の南側にいる訪問者や運送業者は、視線がテラス壁部５２７によって遮られ、屋外空間５２を容易に見通せないようなっている。
【００３４】
図１に示すように、屋外空間５２の東側には、敷地１２の東側の境界線に沿って塀７が設けられている。塀７は、敷地１２の東側の境界線における南側の道路１１との境界よりもやや北側に入った位置から、玄関２１の東側となる位置までの範囲に設けられている。塀７は、上記の範囲における敷地１２の東側の境界線に沿って南北方向に延びる南北延設部７１と、南北延設部７１の南側の端部から西側に突出する南側突設部７２と、南北延設部７１の北側の端部から西側に突出する北側突設部７３と、を有している。
【００３５】
塀７は、屋外空間５２とは間隔をあけて設けられており、塀７と屋外空間５２との間を人が通行できるように設計されている。南北延設部７１および北側突設部７３は、屋外空間５２の東側に配置されている。南側突設部７２は、屋外空間５２の南側に配置されている。
本実施形態では、北側突設部７３よりも南側突設部７２のほうが南北延設部７１から西側に長く突出している。北側突設部７３の東西方向の長さは、南北延設部７１から屋外空間５２までの間隔よりも短い長さに設計されている。南側突設部７２の東西方向の長さは、南北延設部７１から屋外空間５２までの間隔とほぼ同じ長さに設計されている。なお、南側突設部７２は、屋外空間５２よりも南側に設けられているため、屋外空間５２とは干渉しない。
【００３６】
塀７は、例えば、人の視線の高さより高く形成したり、開口の方向を工夫したりすることで、その一方側と他方側とを容易に見通せない構造となっている。これにより、東側の隣地や道路１１から屋外空間５２および屋内を容易に見通せないようになっている。
また、本実施形態では、北側突設部７３および南側突設部７２は、それぞれ地盤に支持されている。
【００３７】
敷地１２には、屋外空間５２の東側に外部水栓８１および物置８２が設けられている。外部水栓８１にはガーデンパン８３が設けられている。本実施形態では、外部水栓８１および物置８２は、第２階段５２５と東西方向に対向する位置に南北延設部７１に沿って配置されている。
【００３８】
図２に示すように、住宅１Ａの２階３には、階段室３１、２階ホール３２、洗面トイレ脱衣室３３、浴室３４、居室３５およびベランダ３６が設けられている。
住宅１Ａの２階３の西側半分には、居室３５が配置されている。居室３５は、収納家具３５１によって南北に２部屋に仕切られている。仕切られた２部屋は、寝室などとして使用されるように設計されている。本実施形態では、居室３５の北側に、書斎や収納などとして利用可能なスペース３５２が設けられている。
住宅１Ａの２階３の東側半分には、その東側に南側から北側に向かって順に、ベランダ３６、洗面トイレ脱衣室３３、浴室３４が配置され、西側に南側から北側に向かって順に２階ホール３２、および階段室３１が配置されている。
本実施形態による住宅１Ａは、洗面トイレ脱衣室３３および浴室３４を２階に設けることにより、総２階となるように設計されている。
【００３９】
ベランダ３６は、２階入隅５３の北側に配置されている。ベランダ３６は、２階入隅５３の下側の屋外空間５２を見下ろせるように設計されている。
２階ホール３２は、２階入隅５３、ベランダ３６および洗面トイレ脱衣室３３の西側に配置されている。２階ホール３２は、階段室３１、居室３５、洗面トイレ脱衣室３３、ベランダ３６にアクセスできるように設計されている。
【００４０】
２階ホール３２には、洗濯物を干すことができる洗濯物干しスペース３２１、収納などが設けられている。
洗濯物干しスペース３２１は、２階ホール３２のうちの南側で、ベランダ３６の西側に対向する位置に配置されている。洗濯物干しスペース３２１とベランダ３６との間の壁部には出入口３２５が設けられていて、洗濯物干しスペース３２１とベランダ３６とを往来できるように設計されている。なお、ベランダ３６も洗濯物を干すスペースとして使用してもよい。
【００４１】
本実施形態では、２階ホール３２に洗濯物干しスペース３２１が設けられていることにより、２階３で洗濯した洗濯物を１階２に運ぶことなくそのまま２階３の洗濯物干しスペース３２１に干すことができる。このため、屋外空間５２が洗濯物を干すスペースとして使用されず、洗濯物によって屋外空間５２の美観が損なわれることがない。
洗面トイレ脱衣室３３は、トイレ３３１、洗面台３３２、洗濯機を置く洗濯機置き場３３３が設けられている。浴室３４は、洗面トイレ脱衣室３３から使用するように設計されている。
【００４２】
図２−図５に示すように、２階３の外周壁４のうち、２階ホール３２の東側で２階入隅５３に沿って南北に延びる部分を第５外周壁４５とし、ベランダ３６の南側で２階入隅５３に沿って東西に延びる部分を第６外周壁４６、第５外周壁４５の南側の端部から西側に延びる部分を第７外周壁４７とし、第６外周壁４６の東側の端部から北側に延びる部分を第８外周壁４８とする。
第６外周壁４６は、ベランダの開口が形成されていて壁状ではないが、左右（東西）の端部に柱が設けられ、上下を梁で囲まれているため第６外周壁４６と称して説明する。
【００４３】
第５外周壁４５および第６外周壁４６は、屋外空間５２の上方に位置し、屋外空間５２の上側に張り出された持ち出し梁の上方に設けられている。第５外周壁４５および第６外周壁４６の下側には、１階の外周壁４や柱が設けられていない。
第７外周壁４７は、西側の部分が第３外周壁４３の上方に位置し、東側の部分が屋外空間５２の南側の縁部の上方に位置している。第７外周壁４７の東側の部分は、屋外空間５２の上方に張り出された持ち出し梁の上方に設けられている。第７外周壁４７の東側の部分の下側には、１階の外周壁４や柱が設けられていない。
第８外周壁４８は、北側の部分が第４外周壁４４の上方に位置し、南側の部分が屋外空間５２の東側の縁部の上方に位置している。第８外周壁４８の南側の部分は、屋外空間５２の上方に張り出された持ち出し梁の上方に設けられている。第８外周壁４８の南側の部分の下側には、１階の外周壁４や柱が設けられていない。
【００４４】
住宅１Ａの南側には、１階の梁に支持された庇６が設けられている。庇６は、平面視における第５外周壁４５および第７外周壁４７に沿った位置にＬ字形状に設けられている。庇６のうちの第５外周壁４５にから南側に延びる第１庇６１は、屋外空間５２の南側の縁部に設けられたテラス壁部５２７よりも南側に突出している。庇６のうちの第７外周壁４７から東側に延びる第２庇６２は、屋外空間５２の南東部分の上方に配置されている。
軒天井５４は、庇６の下面から２階３の突出部３９の下面に亘って、同一仕上げ、同一高さで連続している。また、軒天井５４の高さは、ＬＤＫ２７１の天井の高さ（１階床面から概ね２４００〜２７００ｍｍ）と略同一に設定されている。
【００４５】
次に、上述した本発明の第１実施形態による住宅１Ａの作用・効果について図面を用いて説明する。
上述した本発明の第１実施形態による住宅１Ａでは、屋外空間５２は、ＬＤＫ２７１と連続するテラスとして使用することができるとともに、外部から玄関２１へ通じる玄関ポーチとして使用することができる。このように、本実施形態では、玄関ポーチとテラスとが一体となっているため、玄関ポーチとテラスとを個々に設ける場合と比べて、屋外空間５２を一つの広い空間とすることができる。その結果、玄関ポーチとテラスとが個々に設けられている場合では玄関ポーチのみに使用されるスペースを、玄関ポーチとテラスとが一体となっていることによりＬＤＫ２７１と連続するテラスとしても使用することができ、テラスの広さを確保することができる。
また、本実施形態では、屋外空間５２と住宅１Ａの外部との出入口となる第３出入口５２４が、ＬＤＫ２７１と屋外空間５２との出入口となる第１出入口４１１と離間する位置に設けられている。これにより、第３出入口５２４の近傍にいる人がＬＤＫ２７１の内部を容易に見通せないため、ＬＤＫ２７１内のプライバシーを確保することができる。
さらに、本実施形態では、玄関２１と屋外空間５２との出入口となる第２出入口４２１も第１出入口４１１と離間する位置に設けられている。これにより、第２出入口４２１が第１出入口４１１と近接する位置に設けられている場合と比べて、住宅１Ａの外部から玄関２１へ向かう人や、玄関２１から外部へ向かう人がＬＤＫ２７１の内部を容易に見通せないため、ＬＤＫ２７１内のプライバシーを確保することができる。
【００４６】
また、第３出入口５２４は、出入り方向が第１出入口４１１の出入り方向と重ならない位置に設けられていることにより、第３出入口５２４の近傍にいる人がＬＤＫ２７１の内部を容易に見通せないため、ＬＤＫ２７１内のプライバシーを確保することができる。
【００４７】
また、屋外空間５２には軒天井５４が設けられていることにより、雨天でも雨に濡れずに屋外空間５２を使用することができ、テラスとしての用途を多様化することができる。
また、本実施形態では、軒天井５４が屋外空間５２の南東の角部を除いたほとんどの上方に設けられている。これにより、屋外空間５２は、半屋外的空間となり、雨天時や日差しの強い時期でも快適に使用できるスペースとなる。
また、軒天井５４は、屋外空間５２における第１出入口４１１および第２出入口４２１近傍の上方に設けられている。これにより、居住者は、リビング２７から第１出入口４１１を介して屋外空間５２に出たときや、および玄関２１から第２出入口４２１を介して屋外空間５２に出たときに、上方に軒天井５４があるため、上方からの雨によって濡れることや、上方からの日射を受けることがない。  
【００４８】
また、庇６のうちの第５外周壁４５から南側に延びる第１庇６１は、屋外空間５２の南側の縁部に設けられたテラス壁部５２７よりも南側に突出している。これにより、屋外空間５２に雨が吹き込むことが抑制されるとともに、テラス壁部５２７の南側に人がいたり荷物が置いてあったりした場合に、その人や荷物が濡れることが抑制される。例えば、郵便受けやインターホンの前の人や荷物が濡れることを抑制することができる。
また、屋外空間５２の上方の梁が持ち出し梁で、屋外空間５２の内部には柱や壁がないため、屋外空間５２を開放されたスペースとすることができる。
【００４９】
また、屋内には、玄関２１と連続する玄関収納室２３が設けられ、屋外空間５２、第２出入口４２１、玄関２１および玄関収納室２３は、一直線上に連続して設けられていることにより、屋外空間５２から玄関２１を介して玄関収納室２３へアクセスしやすく、使い勝手が良い。玄関収納室２３を、屋外空間５２で使用する物の収納に使用することができる。
【００５０】
また、第３出入口５２４の側方には、屋外空間５２に沿ったテラス壁部５２７が設けられ、テラス壁部５２７は、屋外空間５２の外部からの視認性を低下させるように構成されている。これにより、外部から屋外空間５２およびＬＤＫ２７１の内部を容易に見通せないため、屋外空間５２およびＬＤＫ２７１内のプライバシーを確保することができる。
本実施形態では、テラス壁部５２７が屋外空間５２の南側に沿って設けられていることにより、敷地１２の南側の道路１１から屋外空間５２内部を容易に見通せないため、屋外空間５２のプライバシーを確保することができる。
また、テラス壁部５２７の高さは、軒天井５４の高さよりも低くいことにより、テラス壁部５２７と軒天井５４との間が開放されるため、屋外空間５２にいる人が開放感を得られるとともに、テラス壁部５２７と軒天井５４との間のスペースを風通しや採光に利用することができる。
【００５１】
（第２実施形態）
次に、本発明の第２実施形態について、添付図面に基づいて説明するが、上述の第１実施形態と同一又は同様な部材、部分には同一の符号を用いて説明を省略し、第１実施形態と異なる構成について説明する。
図６−図８に示すように、第２実施形態による住宅１Ｂは、第１実施形態による住宅１Ａ（図１参照）よりも間口が小さく設計されている。第２実施形態による住宅１Ｂが建築される敷地１２Ｂ（図１参照）は、第１実施形態による住宅１Ａが建築される敷地１２（図１参照）よりも東西方向の寸法が小さい。
【００５２】
第２実施形態による住宅１Ｂは、第１実施形態と同様に、１階２Ｂの間口寸法が２階３の間口寸法と同じ長さで、１階２Ｂの奥行き寸法が２階３Ｂの奥行き寸法と同じ長さとなるいわゆる総２階建てに設計されている。住宅１Ｂの間口寸法は、３間（１８３０ｍｍ×３）に設計されている。
第２実施形態では、１階２Ｂの南東部分に１階入隅５１Ｂが形成されている。第２実施形態においても１階入隅５１Ｂの屋外側に屋外空間５２Ｂが設けられている。これに対し、２階３Ｂは、平面視形状が長方形で入隅が形成されていない。屋外空間５２Ｂの上方には、１階２Ｂの外周壁４Ｂよりも屋外側に突出した２階３Ｂの突出部３９Ｂが配置されている。
【００５３】
１階入隅５１Ｂの間口寸法は、１階２Ｂの間口寸法の１／３の寸法（本実施形態では１間）に設計されている。１階入隅５１Ｂの奥行き寸法は、１階入隅５１Ｂの間口寸法よりも長い寸法（本実施形態では２間）に設計されている。
図６に示すように、住宅１Ｂの１階２Ｂには、玄関２１Ｂ、玄関ホール２２Ｂ、玄関収納室２３Ｂ、階段室２４Ｂ、階段前ホール２３２、トイレ２５Ｂ、１階収納室２３３、リビング２７Ｂ、ダイニング２８Ｂ、キッチン２９Ｂ、および屋外空間５２Ｂが設けられている。上述しているが、屋外空間５２Ｂは、１階入隅５１Ｂの屋外側に設けられている。
第２実施形態においてもリビング２７Ｂ、ダイニング２８Ｂおよびキッチン２９Ｂは、ＬＤＫ２７１Ｂで、１つの空間となっている。
【００５４】
住宅１Ｂの１階２Ｂの西側２／３には、南側から北側に向かって順に、リビング２７Ｂ、ダイニング２８Ｂ、キッチン２９Ｂ、階段室２４Ｂ、階段前ホール２３２、トイレ２５Ｂが配置されている。屋外空間５２の西側には、リビング２７Ｂおよびダイニング２８Ｂの南側の部分が配置されている。階段前ホール２３２は、階段室２４Ｂの東側に配置されている。トイレ２５Ｂは、階段下の一部を利用して設けられていて、階段前ホール２３２から使用するように設定されている。
住宅１Ｂの１階２Ｂの東側１／３における屋外空間５２Ｂの北側には、南側から北側に向かって順に、玄関２１Ｂおよび玄関ホール２２Ｂ、玄関収納室２３Ｂ、１階収納室２３３が配置されている。玄関ホール２２Ｂは玄関２１Ｂの西側に配置されている。
玄関収納室２３Ｂは、玄関２１Ｂの北側に位置し玄関２１Ｂから使用するように設計されている。１階収納室２３３は、階段前ホール２３２の東側に配置され、階段前ホール２３２から使用するように設計されている。
玄関ホール２２Ｂの西側には、ＬＤＫ２７１Ｂが配置されている。
【００５５】
屋外空間５２Ｂは、屋外の空間で、平面形状が南北方向よりも南北方向に長い長方形となるように設計されている。屋外空間５２Ｂは、間口寸法が１階入隅５１Ｂの間口寸法よりも大きく、１階入隅５１Ｂよりも東側に突出して設けられている。本実施形態では屋外空間５２Ｂの間口寸法は１．５間に設計されている。屋外空間５２Ｂの奥行き寸法は１階入隅５１Ｂの奥行き寸法を同じ寸法に設計されている。
第１実施形態と同様に、１階の外周壁４Ｂのうち、屋外空間５２Ｂの西側で南北方向に延びる部分を第１外周壁４１Ｂとし、屋外空間５２Ｂの北側で第１外周壁４１の北側の端部から東西方向に延びる部分を第２外周壁４２Ｂとし、第１外周壁４１Ｂの南側の端部から東側に延びる部分を第３外周壁４３Ｂ、第２外周壁４２Ｂの東側の端部から北側に延びる部分を第４外周壁４４Ｂとする。
屋外空間５２Ｂの南側の縁部は、第３外周壁４３Ｂと同一直線状に配置され、屋外空間５２Ｂの東側の縁部は、第４外周壁４４Ｂよりも西側に突出している。
【００５６】
第１外周壁４１Ｂは、ＬＤＫ２７１Ｂの東側に配置され、第１実施形態と同様に北側寄り（第２外周壁４２Ｂと近接する側）にＬＤＫ２７１Ｂと屋外空間５２Ｂとを連通させる第１出入口４１１Ｂが設けられている。
第１外周壁４１Ｂにおける第１出入口４１１Ｂよりも南側の部分は、開口部のない壁部となっている。
第２外周壁４２Ｂは、玄関２１Ｂおよび玄関ホール２２Ｂの南側に配置されている。第２外周壁４２Ｂには、東側寄り（第１外周壁４１Ｂと離間する側）に玄関２１Ｂと屋外空間５２Ｂとを連通させる第２出入口４２１Ｂが設けられている。玄関ホール２２Ｂには窓が設けられておらず、第２外周壁４２Ｂにおける第２出入口４２１Ｂよりも西側の部分は、開口部のない壁部となっている。
【００５７】
第３外周壁４３Ｂは、リビング２７Ｂの南側に配置され、第１実施形態と同様に東側寄りにリビング高窓４３１Ｂが設けられている。
第４外周壁４４Ｂは、玄関２１Ｂ、玄関収納室２３Ｂおよび１階収納室２３３の東側に配置されている。第４外周壁４４Ｂには、東西方向の中間部で玄関２１Ｂおよび玄関収納室２３Ｂに面する位置に玄関窓４４１Ｂが設けられ、１階収納室２３３に面する位置に１階収納室窓４４２が設けられている。
【００５８】
屋外空間５２Ｂの南側には、屋外空間５２Ｂと敷地１２とを上り下りするための第１階段５２３Ｂ、およびテラス壁部５２７Ｂが設けられていて、第１階段５２３Ｂが設けられている部分が第３出入口５２４Ｂとなっている。
屋外空間５２Ｂと敷地１２とを上り下りするための第２階段５２５Ｂは、屋外空間５２Ｂの北側における東側の端部近傍に設けられている。第２階段５２５Ｂは、屋外空間５２Ｂから北側に向かって敷地１２へ下りるように設計されている。
屋外空間５２Ｂの東側には、第１実施形態と同様に、塀７Ｂが設けられている。塀７Ｂの北側突設部７３Ｂは、第２階段５２５Ｂの北側に配置され、北側突設部７３Ｂの北側に外部水栓８１Ｂおよび物置８２Ｂが配置されている。
【００５９】
図７に示すように、住宅１Ｂの２階３には、階段室３１Ｂ、２階ホール３２Ｂ、トイレ３７、洗面脱衣所３８、浴室３４Ｂ、洗濯物干しスペース３２１Ｂ、第１居室３５５および第２居室３５６が設けられている。第２実施形態では、住宅１Ｂの２階３にベランダは設けられていない。
住宅１Ｂの２階３の西側１／３には、南側から北側に向かって順に、洗濯物干しスペース３２１Ｂ、洗面脱衣所３８、浴室３４Ｂ、トイレ３７、階段室３１Ｂが配置されている。
住宅１Ｂの２階３Ｂの東側２／３には、南側から北側に向かって順に、第１居室３５５、第２居室３５６が配置されている。第２居室３５６は、南北に間仕切り可能に設計されている。
洗濯物干しスペース３２１Ｂは、洗面脱衣所３８および第１居室３５５から使用可能に設計されている。
【００６０】
２階の外周壁４Ｂのうち、南側の東西方向に延びる部分を２階南側外周壁４７Ｂとし、東側の南北方向に延びる部分を２階東側外周壁４８Ｂとする。
２階南側外周壁４７Ｂは、西側の部分が第３外周壁４３Ｂの上方に位置し、東側の部分が屋外空間５２Ｂの南側の縁部の上方に位置している。２階南側外周壁４７Ｂの東側の部分は、屋外空間５２Ｂの上方に張り出された持ち出し梁の上方に設けられている。２階南側外周壁４７Ｂの東側の部分の下側には、１階の外周壁４Ｂや柱が設けられていない。
２階東側外周壁４８Ｂは、北側の部分が第４外周壁４４Ｂの上方に位置し、南側の部分が屋外空間５２Ｂの東側の縁部の上方に位置している。２階東側外周壁４８Ｂの南側の部分は、屋外空間５２Ｂの上方に張り出された持ち出し梁の上方に設けられている。２階東側外周壁４８Ｂの南側の部分の下側には、１階の外周壁４Ｂや柱が設けられていない。
【００６１】
住宅１Ｂの南側には、１階の梁に支持された庇６Ｂが設けられている。庇６Ｂは、平面視における２階南側外周壁４７Ｂおよび２階東側外周壁４８Ｂに沿った位置にＬ字形状に設けられている。
庇６Ｂのうち、２階東側外周壁４８Ｂから東側に突出する部分６３の先端部（東側の端部）６３ａは、屋外空間５２Ｂ（図６および図８参照）の東側の縁部の鉛直方向上側もしくは屋外空間５２Ｂの東側の縁部よりも東側に配置されている。
第１実施形態と同様に、庇６Ｂの下面は、２階３Ｂの突出部３９Ｂの下面と面一となり、２階３Ｂの突出部３９Ｂの下面と同じ仕上げとなっている。２階３Ｂの突出部３９Ｂの下面および庇６Ｂの下面が、屋外空間５２Ｂの軒天井５４Ｂとなっている。
屋外空間５２Ｂは、軒天井５４Ｂが設けられていることにより、半屋外的空間となっている。第２実施形態では、屋外空間５２Ｂの上方全体に軒天井５４Ｂが設けられている。
【００６２】
第２実施形態による住宅１Ｂでは、第１実施形態による住宅１Ａと同様の効果を奏する。
また、第２実施形態では、屋外空間５２Ｂの上方全体に軒天井５４Ｂが設けられていることにより、雨天でも雨に濡れず屋外空間５２Ｂの全体を使用することができる。
【００６３】
以上、本発明による住宅の実施形態について説明したが、本発明は上記の実施形態に限定されるものではなく、その趣旨を逸脱しない範囲で適宜変更可能である。
例えば、上記の実施形態では、住宅１Ａ，１Ｂは、南側に道路１１が設けられた長方形の敷地１２に設けられているが、敷地１２の形状や、道路１１の位置は上記以外であってもよい。
また、上記の実施形態では、第３出入口５２４，５２４Ｂは、出入り方向が第１出入口４１１，４１１Ｂの出入り方向と重ならない位置に設けられているが、第３出入口５２４，５２４Ｂは、出入り方向が第１出入口４１１，４１１Ｂの出入り方向と重なる位置に設けられていてもよい。
【００６４】
また、上記の実施形態では、屋外空間５２，５２Ｂの上方には、軒天井５４，５４Ｂが設けられているが、軒天井５４，５４Ｂが設けられていなくてもよい。また、屋外空間５２，５２Ｂの上方に軒天井５４，５４Ｂが設けられる場合は、屋外空間，５２Ｂの上方全体に設けられていてもよいし、部分的に設けられていてもよい。
また、上記の実施形態では、住宅１Ａ，１Ｂの１階２，２Ｂに玄関収納室２３，２３Ｂが設けられ、屋外空間５２，５２Ｂ、第２出入口４２１，４２１Ｂ、玄関２１，２１Ｂおよび玄関収納室２３，２３Ｂが一直線上に連続して設けられているが、玄関収納室２３，２３Ｂが設けられていなくてもよく、玄関収納室２３，２３Ｂが設けられている場合、その位置や形態は適宜設定されてよい。
【００６５】
また、上記の実施形態では、屋外空間５２，５２Ｂの南側にテラス壁部５２７，５２７Ｂが設けられているが、テラス壁部５２７，５２７Ｂが設けられていなくてもよい。また、屋外空間５２，５２Ｂにテラス壁部５２７，５２７Ｂが設けられる場合は、テラス壁部５２７，５２７Ｂの位置や形状（幅、厚さ、高さ、スリットなどの開口の有無など）は適宜設定されてよい。
また、上記の実施形態では、リビング２７，２７Ｂの第１出入口４１１，４１１Ｂには、引き違いの掃き出し窓４１２が設けられているが、第１出入口４１１，４１１Ｂの開口を広く開放できる折れ戸などが設けられていてもよい。
また、上記の実施形態では、玄関２１，２１Ｂの第２出入口４２１，４２１Ｂには親子ドアの玄関戸４２２が設けられているが、片引き戸や両引き戸などの引き戸が設けられていてもよい。このような場合、引き戸の枠や障子が第２外周壁４２，４２Ｂの屋外側の表面よりも屋外空間５２に突出しないように設け、屋外空間５２のスペースを広く確保するとともに、屋外空間５２，５２Ｂに置かれたベンチ等の物品と干渉しないようにしてもよい。
【００６６】
また、上記の実施形態では、２階３，３Ｂに洗濯物干しスペース３２１，３２１Ｂを設け、屋外空間５２，５２Ｂには洗濯物を干さないように設計されているが、屋外空間５２，５２Ｂは、洗濯物を干すスペースとして設計されてもよい。
また、上記の第１実施形態では、塀７の南側突設部７２は、南北延設部７１から屋外空間５２までの間隔とほぼ同じ長さに形成されている。これに対し、南側突設部７２は、南北延設部７１から屋外空間５２までの間隔よりも長く形成し、第３出入口５２４および第２出入口４２１と南北方向に重なるように設けられていてもよいし、屋外空間５２の南側に設けられたテラス壁部５２７の一部または全部と東西方向に重なるように設けられていてもよい。これにより、南側の道路１１から屋外空間５２や屋内を容易に見通せないため、屋外空間５２や屋内のプライバシーを確保することができる。
また、南側突設部７２を自転車の長さ以上となるように設けて、南側突設部７２と屋外空間５２との間のスペースを駐輪スペースとしてもよい。
また、住宅１Ａ，１Ｂの周囲に設けられる塀７，７Ｂの形状や設けられる位置は、適宜設定されてよい。
【符号の説明】
【００６７】
１Ａ，１Ｂ  住宅
２，２Ｂ  １階
３，３Ｂ  ２階  
４，４Ｂ  外周壁
６，６Ｂ  庇
７，７Ｂ  塀
１２，１２Ｂ  敷地
１３  駐車場
２１，２１Ｂ  玄関
２２  １階ホール
２２Ｂ  玄関ホール
２３，２３Ｂ  玄関収納室
２４，２４Ｂ  階段室
２５，２５Ｂ  トイレ
２６  洗面所
２７，２７Ｂ  リビング
２８，２８Ｂ  ダイニング
２９，２９Ｂ  キッチン
３１，３１Ｂ  階段室
３２，３２Ｂ  ２階ホール
３３  洗面トイレ脱衣室
３４  浴室
３５，３５Ｂ  居室
３６  ベランダ
３８  洗面脱衣所
４１，４１Ｂ  第１外周壁
４２，４２Ｂ  第２外周壁
５１，５１Ｂ  １階入隅（入隅）
５２，５２Ｂ  屋外空間
５３，５３Ｂ  ２階入隅
５４，５４Ｂ  軒天井
６１  第１庇
６２  第２庇
７１，７１Ｂ  南北延設部
７２，７２Ｂ  南側突設部
７３，７３Ｂ  北側突設部
８１，８１Ｂ  外部水栓
８２，８２Ｂ  物置
８３，８３Ｂ  ガーデンパン
２３２  階段前ホール
２３３  １階収納室
２７１，２７１Ｂ  ＬＤＫ（居室）
３２１，３２１Ｂ  洗濯物干しスペース
４１１，４１１Ｂ  第１出入口
４１２  掃き出し窓
４２１，４２１Ｂ  第２出入口
４２２  玄関戸
４３１，４３１Ｂ  リビング高窓
５２４，５２４Ｂ  第３出入口
５２７，５２７Ｂ  テラス壁部（壁部）
【図１】
2019178562.tif 000003
【図２】
2019178562.tif 000004
【図３】
2019178562.tif 000005
【図４】
2019178562.tif 000006
【図５】
2019178562.tif 000007
【図６】
2019178562.tif 000008
【図７】
2019178562.tif 000009
【図８】
2019178562.tif 000010